(57)【要約】【課題】走査パルス幅を短縮した場合に、自走査電極ラインの走査パルス印加終了後に、他走査電極ラインのデータパルスが印加された場合にも、維持パルス電圧を高くすることなく駆動できるようにする。【解決手段】電位固定電極３４が、維持電極２３と対向する部分のうち、データ電極２９と交差する部分の線幅が、他の部分の線幅より細くなっていて、かつ、電位固定電極３４の線幅が細くなっている部分の電極の中心線が、維持電極２３と対向する部分の他の部分の電位固定電極３４の中心線より、走査電極２２と維持電極２３の放電ギャップ寄りとなるように設定されている。【選択図】図６
2006332070.tif 000002
【特許請求の範囲】
【請求項１】
第一の絶縁基板と第二の絶縁基板とが互いに対向配置され、前記第一の絶縁基板には、走査電極と維持電極とが互いに平行に並べられて構成される電極対が複数配置され、かつ、前記第二の絶縁基板には、前記走査電極及び維持電極に直交する複数のデータ電極が配置された表示パネルを備えるプラズマディスプレイ装置であって、
前記データ電極よりも絶縁層を介して上層の部位に、かつ、前記データ電極と直交して、前記第一の絶縁基板上に配置された前記維持電極と１対１に対向する態様で、前記表示パネルの前記第二の絶縁基板上に設けられた複数の電位固定電極と、
個々の前記走査電極に線順次で走査パルスを印加することで、映像信号に対応して前記走査電極毎にデータを書き込む期間である走査期間内であって、個々の前記走査電極に対して、走査パルスの印加が終了した後、所定の期間経過してから開始される一定の期間、一定電位を対応する前記電位固定電極に供給し続ける電位供給手段とが付加されてなると共に、
前記電位固定電極が、前記維持電極と対向する部分のうち、前記データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあることを特徴とするプラズマディスプレイ装置。
【請求項２】
第一の絶縁基板と第二の絶縁基板とが互いに対向配置され、前記第一の絶縁基板には、走査電極と維持電極とが互いに平行に並べられて構成される電極対が複数配置され、かつ、前記第二の絶縁基板には、前記走査電極及び維持電極に直交する複数のデータ電極が配置された表示パネルを備えるプラズマディスプレイ装置であって、
前記データ電極よりも絶縁層を介して上層の部位に、かつ、前記データ電極と直交して、前記第一の絶縁基板上に配置された前記維持電極と１対１に対向する態様で、前記表示パネルの前記第二の絶縁基板上に設けられた複数の電位固定電極と、
映像信号に対応して前記走査電極毎にデータを書き込む期間である走査期間中一定電位を前記電位固定電極に供給し続ける電位供給手段とが付加されてなると共に、
前記電位固定電極が、前記維持電極と対向する部分のうち、前記データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあることを特徴とするプラズマディスプレイ装置。
【請求項３】
第一の絶縁基板と第二の絶縁基板とが互いに対向配置され、前記第一の絶縁基板には、走査電極と維持電極とが互いに平行に並べられて構成される電極対が複数配置され、かつ、前記第二の絶縁基板には、前記走査電極及び維持電極に直交する複数のデータ電極が配置された表示パネルを備えるプラズマディスプレイ装置であって、
前記データ電極よりも絶縁層を介して上層の部位に、かつ、前記データ電極と直交して、前記第一の絶縁基板上に配置された前記維持電極と１対１に対向する態様で、前記表示パネルの前記第二の絶縁基板上に設けられた複数の電位固定電極と、
全駆動期間に亘り一定電位を前記電位固定電極に供給し続ける電位供給手段とが付加されてなると共に、
前記電位固定電極が、前記維持電極と対向する部分のうち、前記データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあることを特徴とするプラズマディスプレイ装置。
【請求項４】
前記電極が誘電体層に被覆されて放電ガスには直接露出させず、交流放電の状態で動作させる交流放電型である請求項１、２又は３記載のプラズマディスプレイ装置。
【発明の詳細な説明】
【技術分野】
【０００１】
本発明は、プラズマディスプレイ装置に係り、特に、ＡＣ型プラズマディスプレイ装置に関する。
【背景技術】
【０００２】
近年、携帯電話を初めとする情報電子機器が、世の中に広く用いられていることは、周知の事実である。また、これらの情報電子機器のうち、壁掛けテレビや公共表示板などの表示装置もよく知られている。
【０００３】
さらにまた、壁掛けテレビや公共表示板などの表示装置は、フラットディスプレイとして、注目を浴びていることも周知の事実である。
【０００４】
そして、一般的に、フラットディスプレイとして、上述した壁掛けテレビや公共表示板などに利用されているプラズマディスプレイパネル（以下、ＰＤＰとも略称する）も、よく知られている。
【０００５】
このＰＤＰは、薄型で大画面表示が比較的容易にできること、視野角が広いこと、応答速度が速いことなど、数多くの特長を有している。
【０００６】
このため、上述したように、このＰＤＰは、フラットディスプレイとして、壁掛けテレビや公共表示板などとして利用されている。
【０００７】
ＰＤＰは、その動作方式により、電極が放電空間（放電ガス）に露出して直流放電の状態で動作させる直流放電型（ＤＣ型）と、電極が誘電体層に被覆されて放電ガスには直接露出させず、交流放電の状態で動作させる交流放電型（ＡＣ型）とに分類される。ＤＣ型では電圧が印加されている期間中放電が発生し、ＡＣ型では電圧の極性を反転させることにより放電を持続させる。さらに、ＡＣ型には、１セル内の電極数が２電極のものと３電極のものがある。
【０００８】
ここで、従来の３電極ＡＣ型プラズマディスプレイパネルの構造および駆動方法について述べる。図１５は従来のプラズマディスプレイパネルの一例を示すセル断面図である。
【０００９】
ＡＣ３電極型プラズマディスプレイパネルは、相互に対向する前面基板２０と背面基板２１と、双方の基板間２０、２１間に配置された複数の走査電極２２、維持電極２３及びデータ電極２９と、走査電極２２、維持電極２３及びデータ電極２９の各交差部分に行列状に配置された表示セルとを有する。
【００１０】
前面基板２０としてガラス基板等を用い、走査電極２２と維持電極２３が所定の間隔を隔てて設けられている。走査電極２２と維持電極２３の上には配線抵抗を下げるために金属電極３２が積層されている。これらの上には透明誘電体層２４と、透明誘電体層２４を放電から保護するＭｇＯ等からなる保護層２５が形成されている。一方、背面基板２１としてガラス基板等を用い、データ電極２９が走査電極２２や維持電極２３と直交するように設けられている。さらに、データ電極２９上には白色誘電体層２８、蛍光体層２７が設けられている。２枚のガラス基板の間には各セルを囲うように井桁の間隔３３が形成されている。隔壁は放電空間２６を確保するとともに画素を区切る役割を果たしている。放電空間２６内にはＨｅ、Ｎｅ、Ｘｅ等の混合ガスが放電ガスとして封入されている。
【００１１】
図１４に従来の３電極ＡＣ型プラズマディスプレイパネルの平面図を示す。走査電極２２の個々の電極Ｓｉおよび維持電極２３の個々の電極Ｃｉ（ｉ=１〜ｍ）と、データ電極２９の個々の電極Ｄｊ（ｊ=１〜ｎ）との各交差部分に、表示セル３１が行列状に配置される。
【００１２】
次にＰＤＰの駆動方法について説明する。現在、主流なのが走査期間と維持期間が分離されている走査維持分離方式（ＡＤＳ方式）である。以下、この走査維持分離方式の駆動方法について説明する。図１６は、３電極ＡＣ型プラズマディスプレイパネルの１サブフィールド（以下、ＳＦと略称する）の駆動波形図の一例である。１サブフィールドは予備放電期間２、走査期間３、および維持期間４の３つの期間で構成されている。
【００１３】
まず、予備放電期間２について説明する。予備放電期間２の前には、前サブフィールドの維持期間１が存在し、そこで維持放電が行なわれているかいないかで、セル内の各電極上の誘電体層の上に、放電によって発生する電荷である壁電荷の形成量が異なる。
【００１４】
このまま次の書込みを行なうと、この異なる壁電荷量の影響を受け、書込み放電をしづらくなったり、誤って書込みを行なってしまったりする。予備放電期間２の役割の一つは、このような前サブフィールドの維持期間１での点灯状態によって異なるセル内の誘電体層上に放電によって発生する電荷である壁電荷状態を初期化リセットすることである。また、この他、表示データに基づいて線順次にデータを書込む際に放電を行ないやすくするプライミング効果を発生させる役割がある。
【００１５】
次に走査期間３に入る。走査ベース電圧Ｖbwは８０〜１１０Ｖ程度であり、維持電圧Ｖsは１７０Ｖ程度である。走査期間３では、走査電極２２の個々の電極（Ｓ1〜Ｓm）に順次、走査パルス６が印加される。この走査パルス６に合わせて、データ電極２９の個々の電極（Ｄ１〜Ｄｎ）に表示パターンに応じてデータパルス７が印加される。
【００１６】
データパルス７が印加された画素では、走査電極２２とデータ電極２９の間に高い電圧が印加されるので、電圧印加後、ある程度の遅れ（放電遅れと呼ぶ）を伴って走査電極２２とデータ電極２９の間で書込放電が発生し、走査電極２２側には正の壁電荷が形成される。この放電に伴い、正極性電位に大きくバイアスされている維持電極２３と走査電極２２の間でも電荷の移動が発生し、維持電極２３には負の壁電荷が形成される。
【００１７】
一方、データパルス７が印加されない画素では、印加電圧が低くなるので放電が発生せず、壁電荷の状況は変化しない。このように、データパルス７の有無により、２種類の壁電荷の状況を作り出すことができる。
【００１８】
走査パルス６を全ラインに印加し終わると維持期間４に移る。維持パルスは全走査電極２２と全Ｙ電極２３に交互に印加される。維持パルスの電圧値Ｖｓは、
書込み放電の発生しなかった画素では、走査電極２２と維持電極２３との間の放電（面放電と呼ぶ）が開始しない電圧に設定してある。ここでは１７０Ｖである。
【００１９】
一方、書込放電が発生した画素では、走査電極２２側には正壁電荷があり、維持電極２３側には負壁電荷が存在するため、走査電極２２に印加されるはじめの正の維持パルス（第一維持パルスと呼ぶ）に、この正負の壁電荷が重畳され、放電開始電圧以上の電圧が放電空間に印加され、維持放電が発生する。この放電により、走査電極２２側には負の壁電荷が蓄積され、維持電極２３側には正の壁電荷が蓄積される。
【００２０】
次の維持パルス（第二維持パルスと呼ぶ）は維持電極２３側に印加され、上記の壁電荷が重畳されることから維持放電がここでも発生し、第一維持パルスとは逆の極性の壁電荷が、走査電極２２側と維持電極２３側に蓄積される。これ以降も同様の原理で放電が持続的に発生する。つまりｘ回目の維持放電により発生した壁電荷による電位差が、（ｘ＋１）回目の維持パルスに重畳され維持放電が持続している。この維持放電の持続回数により発光輝度が決定される。
【００２１】
以上の予備放電期間２、走査期間３、維持期間４を合わせてサブフィールドと呼ぶ。階調表示を行う場合、１画面の画像情報を表示する期間である１フィールドが、この複数のサブフィードから構成されている。各サブフィールドの維持パルス数を変え、各サブフィールドを点灯させるか非点灯にするかによって階調表示を行うことができる。
【発明の開示】
【発明が解決しようとする課題】
【００２２】
上記のような走査維持分離ＡＣ型プラズマディスプレイパネルおよびプラズマディスプレイの駆動方法では、各走査ラインに画像信号に対応して書込み放電を発生させるために、画像信号に対応して、データパルスが順次、走査期間中に印加される。
【００２３】
したがって、データ電極電位は、走査期間中、画像信号に対応して変動することになる。書込み放電により、各電極上に形成される壁電荷は、走査パルス終了後の各電極の電位に影響される。
【００２４】
したがって、書込み放電の終了した走査電極ライン以降のデータパルスの印加状態によって、各電極上に形成される壁電荷は異なってくる。特に走査パルス幅を短くした場合は影響が大きい。パネルが高精細になり、走査ライン本数の増加に伴い、走査パルス幅の縮小をしなくてはならなくなると、この走査パルス印加終了後に次の走査電極ラインに書込み放電を発生させるためのデータパルスが印加されない場合は正常に動作していても、データパルスが印加されると、書込み放電は発生するものの、維持期間において維持放電が発生しなくなったり、表示がちらついたりする。これを改善するためには、維持パルス電圧を高くしなければならない。しかし、維持パルス電圧を高くすると、消費電力の増大を招いたり、高耐圧の高価なドライバーを使わなくてはならずコストの増大を招いたりする。
【００２５】
本発明の目的は、走査パルス幅を短縮した場合に、自走査電極ラインの走査パルス印加終了後に、他走査電極ラインのデータパルスが印加された場合にも、維持パルス電圧を高くすることなく駆動ができるプラズマディスプレイおよびプラズマディスプレイ装置を提供することにある。
【課題を解決するための手段】
【００２６】
上記課題を解決するために、請求項１記載の発明は、第一の絶縁基板と第二の絶縁基板とが互いに対向配置され、前記第一の絶縁基板には、走査電極と維持電極とが互いに平行に並べられて構成される電極対が複数配置され、かつ、前記第二の絶縁基板には、前記走査電極及び維持電極に直交する複数のデータ電極が配置された表示パネルを備えるプラズマディスプレイ装置に係り、前記データ電極よりも絶縁層を介して上層の部位に、かつ、前記データ電極と直交して、前記第一の絶縁基板上に配置された前記維持電極と１対１に対向する態様で、前記表示パネルの前記第二の絶縁基板上に設けられた複数の電位固定電極と、個々の前記走査電極に線順次で走査パルスを印加することで、映像信号に対応して前記走査電極毎にデータを書き込む期間である走査期間内であって、個々の前記走査電極に対して、走査パルスの印加が終了した後、所定の期間経過してから開始される一定の期間、一定電位を対応する前記電位固定電極に供給し続ける電位供給手段とが付加されてなると共に、前記電位固定電極が、前記維持電極と対向する部分のうち、前記データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあることを特徴としている。
【００２７】
また、請求項２記載の発明は、第一の絶縁基板と第二の絶縁基板とが互いに対向配置され、前記第一の絶縁基板には、走査電極と維持電極とが互いに平行に並べられて構成される電極対が複数配置され、かつ、前記第二の絶縁基板には、前記走査電極及び維持電極に直交する複数のデータ電極が配置された表示パネルを備えるプラズマディスプレイ装置に係り、前記データ電極よりも絶縁層を介して上層の部位に、かつ、前記データ電極と直交して、前記第一の絶縁基板上に配置された前記維持電極と１対１に対向する態様で、前記表示パネルの前記第二の絶縁基板上に設けられた複数の電位固定電極と、映像信号に対応して前記走査電極毎にデータを書き込む期間である走査期間中一定電位を前記電位固定電極に供給し続ける電位供給手段とが付加されてなると共に、前記電位固定電極が、前記維持電極と対向する部分のうち、前記データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあることを特徴としている。
【００２８】
また、請求項３記載の発明は、第一の絶縁基板と第二の絶縁基板とが互いに対向配置され、前記第一の絶縁基板には、走査電極と維持電極とが互いに平行に並べられて構成される電極対が複数配置され、かつ、前記第二の絶縁基板には、前記走査電極及び維持電極に直交する複数のデータ電極が配置された表示パネルを備えるプラズマディスプレイ装置に係り、前記データ電極よりも絶縁層を介して上層の部位に、かつ、前記データ電極と直交して、前記第一の絶縁基板上に配置された前記維持電極と１対１に対向する態様で、前記表示パネルの前記第二の絶縁基板上に設けられた複数の電位固定電極と、全駆動期間に亘り一定電位を前記電位固定電極に供給し続ける電位供給手段とが付加されてなると共に、前記電位固定電極が、前記維持電極と対向する部分のうち、前記データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあることを特徴としている。
【００２９】
また、請求項４記載の発明は、請求項１、２又は３記載のプラズマディスプレイ装置に係り、前記電極が誘電体層に被覆されて放電ガスには直接露出させず、交流放電の状態で動作させる交流放電型であることを特徴としている。
【発明の効果】
【００３０】
以上説明したように、本発明の構成によれば、走査パルスを短縮しても、正常に駆動できる最低の維持電圧Ｖdsminを低く抑えることができるようになった。具体的には、走査パルスを１μsecにまで短縮すると、従来、走査パルス終了後にデータパルスが印加されることも考慮すると維持パルス電圧を最低でも１７６Ｖにまで上げなければならなかったが、本発明のプラズマディスプレイパネルおよび駆動方法を用いれば、維持パルス電圧を１４３Ｖにまで下げることが可能となった。
【発明を実施するための最良の形態】
【００３１】
第１の最良の形態としては、個々の走査電極に線順次で走査パルスを印加することで、映像信号に対応して前記走査電極毎にデータを書き込む期間である走査期間内であって、個々の前記走査電極に対して、走査パルスの印加が終了した後、所定の期間経過してから開始される一定の期間、一定電位を対応する電位固定電極に供給し続ける電位供給手段とが付加されてなると共に、前記電位固定電極が、維持電極と対向する部分のうち、データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあるように設定されている。
第２の最良の形態としては、映像信号に対応して走査電極毎にデータを書き込む期間である走査期間中一定電位を電位固定電極に供給し続ける電位供給手段とが付加されてなると共に、前記電位固定電極が、維持電極と対向する部分のうち、データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあるように設定されている。
第３の最良の形態としては、全駆動期間に亘り一定電位を電位固定電極に供給し続ける電位供給手段とが付加されてなると共に、前記電位固定電極が、維持電極と対向する部分のうち、データ電極と交差する部分の線幅が、他の部分の線幅より細くなっていて、かつ、前記電位固定電極の線幅が細くなっている部分の電極の中心線が、前記維持電極と対向する部分の他の部分の前記電位固定電極の中心線より、前記走査電極と前記維持電極の放電ギャップ寄りにあるように設定されている。
【実施例１】
【００３２】
次に、本発明の第一の実施の形態について図を参照して詳細に説明する。図１に、本発明の第一の実施の形態のプラズマディスプレイパネルの１セルの断面図を示し、図２に平面図を示す。図１の断面図は、図２のＡ−Ａ間の断面を示している。
【００３３】
パネル全体の平面構造は、図１４の従来のプラズマディスプレイパネルの平面図に、電位固定電極３４が維持電極２３と同方向に形成されている構造となっている。
【００３４】
具体的寸法について、セルピッチが横方向０．２７ｍｍ、縦方向０．８１ｍｍの場合を例に述べる。上下２枚の絶縁性基板２０、２１としては、例えば、厚さ２〜５ｍｍ程度のソーダライムガラス基板を用いる。上部絶縁性基板２０には走査電極２２と維持電極２３として、酸化スズまたは酸化インジウムからなる透明電極が対になる形で設けられ、電極幅は２５０〜３００μｍ程度とし、放電ギャップは７０〜１２０μｍ程度とした。各透明電極の上の一部には配線抵抗を下げるために金属電極３２を設けている。電極の上には誘電体層２４を１０〜５０μｍ程度形成し、さらにその上にはＭｇＯが保護層２５として形成されている。
【００３５】
一方、下部絶縁性基板２１にはＡｇなどでデータ電極２９が電極幅１００〜１５０μｍで形成されている。その上には白色誘電体層２８が設けられている。この上にＡｇなどで、データ電極２９と直交するように電位固定電極３４を形成する。電位固定電極３４の電極幅は１００〜２００μｍ程度とした。さらにその上に、隔壁３３を高さ１００〜１５０μm程度で形成し、最後に蛍光体９を塗布する。このときセル毎に蛍光体の種類をＲＧＢ（赤、緑、青）に塗り分けると、フルカラー表示が可能となる。上記の２枚の絶縁性基板を張り合わせ、放電ガスとしてＨｅ、Ｎｅ、Ｘｅの混合ガスを２００〜６００torr封入し、封止することにより完成する。
【００３６】
次に、本発明の第一の実施の形態のプラズマディスプレイパネルの駆動方法について説明する。図１０に１サブフィールドの駆動波形を示す。本発明では、電位固定電極３４を常に接地電位（波形Ｆｍ）としている。予備放電期間２および維持期間４の走査電極波形（Ｓ１〜Ｓｍ）、維持電極波形（Ｃ１〜Ｃｍ）、データ電極波形（Ｄ１〜Ｄｎ）のそれぞれは、図１６の従来駆動波形と同じである。また、この期間の電位固定電極波形（Ｆ１〜Ｆｍ）はデータ電極波形（Ｄ１〜Ｄｍ）と同じであるので、この期間での駆動状態はほぼ従来と同じであると考えられる。
【００３７】
一方、走査期間３においては、映像信号に応じて、データパルス７が印加されたり、されなかったりする。図１５に示すような従来のセル構造においては、このデータパルス６の印加状態によって、データ電極２９の電位が変動する。これに対して、本発明の第一の実施の形態のように、電位固定電極３４をデータ電極上に配置し、維持電極２３とともに電位を固定することにより、走査期間３中の維持電極２３と電位固定電極３４の対向間電位差は一定となる。
【００３８】
次に、走査パルス６が印加された際に、データパルス７が印加され、書込み放電が発生した場合の、壁電荷形成状態について述べる。書込み放電は、走査電極２２とデータ電極２９の間の対向放電空間に、外部から印加される電圧に加え壁電荷による電圧である壁電圧も含めて、走査電極２２を陰極としてデータ電極２９との間で放電が発生する最小の電圧である対向放電開始電圧（以下、特に断らない場合は、走査電極２２または維持電極２３を陰極として、対向する基板上にあるデータ電極２９や電位固定電極との間で放電が発生する、放電空間に印加される最小の電圧を単に、対向放電開始電圧と呼ぶ）を超える電圧が対向放電空間に印加されることにより、走査電極２２とデータ電極２９の間で放電が発生する。この放電により、放電空間内には多くの空間電荷が発生するため、セル内の他の電極間でも、この放電をトリガーとして放電が発生したり、電界により電荷が引き寄せられることにより壁電荷が形成される。ここで、走査パルス６幅が短く、走査パルス６期間内では、ほとんど放電が発生するだけの場合を考えると、壁電荷の形成量は走査パルス６終了後の電極電位に大きく影響される。書込み放電のような強い放電が発生した場合、放電箇所と電極の位置にもよるが、各電極間には、おおよそ外部から印加された電圧分の壁電圧が形成されると考えられる。
【００３９】
したがって、図１６に示すような従来のプラズマディスプレイの駆動波形の場合、走査電極２２と維持電極２３の間には、おおよそ（Ｖｓ−Ｖbw）の壁電圧が形成されることになる。一方、維持電極２３とデータ電極３４との間に形成される壁電圧については、次走査ラインの書込み時のデータパルス７の有無により変化すると考えられる。データパルス７が印加されると、維持電極２３とデータ電極２９の間には、おおよそ（Ｖs−Ｖd）の壁電圧が形成され、データパルスが印加されないと、おおよそＶsの壁電圧が形成される。
【００４０】
この違いにより、維持期間４での最初の維持パルスによる維持放電（第一維持と呼ぶ）の強度が異なり、第一維持による走査電極２２と維持電極２３の間に形成される壁電荷量が異なってくる。
【００４１】
これは、壁電圧がＶsとなると、第一維持において、走査電極２２と維持電極２３の間で発生する面放電の他に、維持電極２３とデータ電極２９が共に接地された際に、上記壁電圧により、維持電極２３とデータ電極２９の間で弱い対向放電が発生するためである。これに対し、Ｖs−Ｖdの場合は、電位差が小さいため、ほとんどこの弱い対向放電が発生せず、維持放電が弱くなり、その後の維持パルスによって維持放電が安定的に持続しなくなる。
【００４２】
図１７に、走査パルス６終了後のデータ電極電位Ｖdaを模擬的に変化させたときの、最小維持電圧Ｖdsminを○で示す。最小維持電圧Ｖdsminとは、点灯表示が正常に表示できる、最小の維持電圧Ｖsのことである。走査パルス幅は１μsecである。
【００４３】
図１７で、Ｖda＝０Ｖのときが、次走査ライン書込み時にデータパルスが印加されなかった場合である。これに対し、データパルス電圧Ｖdを６５Ｖとすると、Ｖda＝６５Ｖのときが、次走査ライン書込み時にデータパルスが印加された場合となる。データパルスが印加された場合は、されなかった場合に比べて約６Ｖの最小維持電圧Ｖdsminの上昇が見られる。
【００４４】
これに対して、本発明の第一の実施の形態のプラズマディスプレイの場合、維持電極２３および電位固定電極３４の電位差は、走査期間３の間、常に壁電圧Ｖsに固定されている。このため、書込み放電により、維持電極２３と電位固定電極３４の間には、おおよそＶsの壁電圧が形成される。
【００４５】
このように、電位固定電極２３を設けることにより、データパルスの有無により、データ電極２９の電位が変動しても、維持電極２３と電位固定電極３４の対向電極間電位は一定となり、一定量の壁電圧を形成することができる。図１７に、Ｖdsminの走査パルス終了後のデータ電極電位Ｖda依存性を▲で示す。図からも分るように、走査パルス終了後のデータ電極電位Ｖdaが上昇しても、○で示す従来のようにＶdsminが上昇することはない。
【００４６】
また、図１０の駆動波形を、さらに図１１のように、走査期間３の維持電極２３電位を維持電圧Ｖsより高い電圧ＶswとするとＶdsminをさらに引き下げることができる。特に、電圧Ｖswを、維持電極２３を陰極としたときの、維持電極２３と電位固定電極３４の間の対向放電開始電圧以上に設定する。ここでの対向放電開始電圧とは、壁電荷が形成されていない状態で対向電極間にその電圧以上の電圧が印加された場合に放電が開始する電圧と考えてよい。
【００４７】
この対向放電開始電圧は、印加する電圧の極性によって大きく異なる。維持電極２３の誘電体層上には保護層２５としてＭｇ０膜が形成されており、この保護層が形成されている側を陰極とすると、正電荷の衝突により２次電子が放出され、新たな電子が放電空間に供給され、低い電圧で放電が持続する。
【００４８】
一方、陰極側にＭｇＯ層が存在しないと、新たな２次電子の供給がないため、高い電圧を印加しないと放電が持続しなくなる。したがって、維持電極２３を陰極としたときの維持電極２３と電位固定電極３４の間の対向放電開始電圧に電圧Ｖswを設定しても、走査期間３では、誤放電は発生せず、書き込み放電が発生しない限り放電は発生しない。
【００４９】
実際には、走査期間３では、維持電極２３と電位固定電極３４には、走査電極２２と維持電極２３の間で維持放電の発生する放電ギャップから遠い位置にほぼ同等の壁電圧が形成されており、ここでの対向放電空間にかかる電位差が最も高いと考えられるので、維持電極２３を陽極としたときの維持電極２３と電位固定電極３４の間の対向放電開始電圧未満に設定すれば、放電は発生しない。
【００５０】
書込み放電発生後には、維持電極２３と電位固定電極３４とに形成される壁電圧の合計はほぼ両者の電極の電位差に等しくなる。したがって、上記のように電圧Ｖswを設定することにより、書込み放電後の維持電極２３と電位固定電極３４とに形成される壁電圧の合計は、ほぼ、維持電極２３と電位固定電極３４の間の電位差を、維持電極２３を陰極としたときの、維持電極２３と電位固定電極３４の間の対向放電開始電圧以上にすることができる。
【００５１】
このような壁電圧が形成された状態で、維持期間４での第一維持において、維持電極２３の低電位側の電位と電位固定電極３４の電位を等しくすることにより、この対向空間には壁電圧Ｖswだけの壁電荷が印加される。
【００５２】
壁電圧Ｖswは、維持電極２３を陰極としたときの、維持電極２３と電位固定電極３４の間の対向放電開始電圧以上であることから、第一維持では、対向放電が確実に発生する。このように走査電極２２と維持電極２３の間の面放電の発生に加え、第一維持で確実に対向放電が発生することにより、放電強度が大きくなり、十分な壁電荷量が走査電極２２と維持電極２３上に形成され、それ以降の維持パルスによって確実に維持放電が持続するようになる。
【００５３】
本発明の第一の実施の形態での最小維持電圧Ｖdsminを図１７に●で示す。走査パルス終了後のデータ電極電位Ｖdaの影響を受けず、Ｖdaに対して一定のＶdsminとなっているとともに、従来のＶdsminに比べ、大きく電圧が低くなっている。これは、Ｖswを維持電極２３を陰極としたときの、維持電極２３と電位固定電極３４の間の対向放電開始電圧以上にしているためである。
【００５４】
この対向放電開始電圧以上にしている期間は、必ずしも走査期間３の全期間である必要はない。走査パルス印加前の電圧をＶsに下げてもまったく同様のＶdsmin特性が得られた。また、走査パルス印加終了直後から１０μsec以上経ってから、維持電極２３の電位をＶswからＶsに引き下げても影響はない。一方、走査パルス終了から２μsec以上経ってから、維持電極電位をＶsからＶswに引き上げても、Ｖdsminは１７０Ｖとなり、電圧Ｖswに引き上げた効果は得られない。また、たとえ走査パルス印加終了後、２μsec以内に維持電極電位を電圧Ｖswに引き上げたとしても、Ｖsw電位を２μsec以上継続しなければ、その効果はきわめて弱いものとなり、Ｖdsminを引き下げることがほとんどできなかった。
【００５５】
このように本発明の第一の実施の形態を用いれば、データパルスの印加の有無による影響を受けないばかりか、電圧Ｖswを、維持電極２３を陰極としたときの、維持電極２３と電位固定電極３４の間の対向放電開始電圧以上に設定することにより、最小維持電圧Ｖdsminを大幅に低くすることができ、走査パルス幅が短い場合でも、低い耐圧の維持ドライバを用いることができる。
【００５６】
次に、具体的電圧の設定値について説明する。はじめに、前サブフィールドの維持期間１が終了すると、予備放電期間２になる。ここでの波形は、基本的に図１６の従来波形と同じであり、Ｖsを１６０Ｖ、Ｖpを３８０Ｖとした。各鋸歯状波のスロープの幅は５０μsec程度とした。予備放電期間２は、前ＳＦの維持放電によって誘電体層上に蓄積された電荷（壁電荷）をリセットし、さらに書込み放電を起こりやすくさせるためのプライミング放電を発生させる期間である。主に、最初の鋸歯状波で維持期間に形成された壁電荷のリセットが行なわれ、後ろの２つの鋸歯状波でプライミング放電を発生させ、その後プライミング放電で発生した壁電荷を調整している。
【００５７】
次に、走査期間３に移行する。走査電極２２には、走査ベース電圧Ｖbwが印加されており、線順次で走査パルス６が順次印加されている。走査ベース電圧Ｖbwは１１０Ｖ程度とし、走査パルス幅は１μsecとし、電位はＧＮＤとした。維持電極２３の電位はＶsw固定としている。また、電位固定電極３４は接地されている。ここで、本セルの対向放電開始電圧であるが、走査電極２２とデータ電極２９の間、維持電極２３と電位固定電極３４の間ともに１８５Ｖであった。図１８に最小維持電圧Ｖdsminの電圧Ｖsw依存性を示す。
【００５８】
電圧Ｖswを１８５Ｖ以上にすると急激に最小維持電圧Ｖdsminが減少することが分る。本発明の第一の実施の形態では、電圧Ｖswがこの対向放電開始電圧以上になるように、電圧Ｖswを１９０〜２１０Ｖとした。
【００５９】
最後に、維持期間４に入る。ここは従来と同様であり、走査期間３で書込み放電が発生した場合のみ、走査電極２２と維持電極２３の面放電ギャップ近傍に大きな壁電荷が形成されているため維持放電が発生し、点灯状態となる。このようにして、点灯、非点灯を制御することができる。維持パルスの電圧は、Ｖs＝１６０Ｖとしている。
【実施例２】
【００６０】
次に、本発明の第二の実施の形態について、図３のセル平面図を参照しながら説明する。本発明の第二の実施の形態の駆動波形は、本発明の第一の実施の形態の駆動波形と同じである。
【００６１】
本発明の第一の実施の形態では、データ電極２９と電位固定電極３４が、誘電体層２８を介して対向する部分の面積が大きく、この電極間容量が大きくなってしまうため、データ電極電位の変動による無効電力が大きくなり、データドライバの発熱が問題となる。
【００６２】
本発明の第二の実施の形態では、このデータ電極２９と電位固定電極３４の間の容量を減らすとともに、書込み放電に関しては、確実に放電が発生するような構造となっている。
【００６３】
本発明の第二の実施の形態のセル構造は、データ電極２９の形状が、電位固定電極３４と対向する部分では細く、走査電極２２と対向する部分では太くなっている以外は本発明の第一の実施の形態と同じである。維持電極２３と電位固定電極３４が対向する部分の面積は、本発明の第一の実施の形態と同じであり、Ｖdsminは本発明の第一の実施の形態と同じ値が得られた。
【００６４】
データ電極２９の線幅は、電位固定電極３４と対向する部分を４０〜８０μｍ、走査電極２２と対向する部分を１２０〜１７０μｍとした。このようにすることにより、電位固定電極３４とデータ電極２９間の容量を小さくすることができ、無効電流が減少し、消費電力を低減することができ、発熱を抑えることができた。また走査電極２２と対向するデータ電極２９の面積は大きくとっているので、書込み放電の確率を高めることができ、放電遅れを小さくすることができた。
【実施例３】
【００６５】
次に、本発明の第三の実施の形態について図４のセル平面図を参照しながら説明する。本発明の第三の実施の形態の駆動波形は本発明の第一の実施の形態と同じである。
【００６６】
本発明の第三の実施の形態のセル構造は、電位固定電極３４の線幅を細くし、放電ギャップ寄りに設けたこと以外は本発明の第二の実施の形態と同じである。維持放電への移行性では、書込み放電時の放電ギャップ寄りの壁電荷の形成状態が重要となってくる。データ電極２９および維持電極２３との容量を減らすために、電位固定電極３４の線幅をできるだけ細くし、放電ギャップ寄りの維持電極２３と電位固定電極３４の対向間に所望の壁電圧を形成するために、電極位置を放電ギャップ寄りにしている。電位固定電極３４の幅は、４０〜５０μｍ程度とした。このような構造でも、本発明の第二の実施の形態とほぼ同様のＶdsminが得られた。また、無効電流を減らすことができ、消費電力を低減することができた。
【実施例４】
【００６７】
次に、本発明の第四の実施の形態について図５のセル平面図を参照しながら説明する。本発明の第四の実施の形態の駆動波形は本発明の第一の実施の形態と同じである。
【００６８】
本発明の第四の実施の形態のセル構造は、本発明の第三の実施の形態の電位固定電極３４と同じ線幅の電極を、もう一本、電位固定電極として追加したこと以外は本発明の第三の実施の形態と同じである。２つの電位固定電極３４の間隔は４０〜６０μｍ程度とした。
【００６９】
このように、電極を追加することにより、データ電極２９、維持電極２３と電位固定電極３４との線間容量は増大するものの、２つに分離されているので、本発明の第二の実施の形態よりは線間容量は小さい。
【００７０】
一方、電位固定電極３４をもう一本追加することで、壁電荷の蓄積状態としては、実効的に間にスリットの入っていないべたの１枚電極と同じ状態とすることができた。
【００７１】
このことにより、第一維持での放電が本発明の第三の実施の形態よりも、強く確実なものとなった。従来のセルや、本発明の第三の実施の形態では、維持放電では、第一維持から１０回目の維持パルス印加ぐらいまでは、維持期間４後半の維持放電に比べ弱い放電であり、不安定な状態である。
【００７２】
これに対し、本発明の第四の実施の形態のように、電位固定電極３４をさらにもう一本追加することにより、第一維持からほぼ定常的な維持放電に近い強さの維持放電を発生させることができた。このように、第一維持から安定的な放電にすることができることにより、Ｖdsminの値は、本発明の第二の実施の形態とまったく同じ値を得ることができたとともに、維持パルス数の少ない、下位の階調のサブフィールドでも、安定的な表示が得られるようになった。
【実施例５】
【００７３】
次に、本発明の第五の実施の形態について図６のセル平面図を参照しながら説明する。本発明の第五の実施の形態は、データ電極２９や維持電極２３と電位固定電極３４との間の容量は低く抑えながら、実効的な電位固定電極３４の面積は広く取り、維持電極２３と電位固定電極３４の間に形成される壁電荷を、放電ギャップから離れた領域まで形成することができる本発明の第四の実施の形態の別の形態である。
【００７４】
本発明の第五の実施の形態の駆動波形は本発明の第一の実施の形態と同じである。本発明の第五の実施の形態のセル構造は、電位固定電極３４の形状が、データ電極２９と交差する部分の線幅を細くしている以外は、本発明の第二の実施の形態とおなじである。このように交差部分の面積を小さくしているのは、電位固定電極３４とデータ電極２９間の容量を小さくするためである。細い部分は、面放電ギャップ寄りに寄せてあり、書き込み時に維持電極２３と電位固定電極３４の間に形成される壁電荷をなるべく放電ギャップ寄りに形成するようにしている。電位固定電極３４の幅は、太い部分で１００〜２００μｍ程度であり、交差部分の細い部分は５０μｍ程度とした。本実施例では本発明の第四の実施の形態とほぼ同様のＶdsminを得ることができ、また、維持パルス数の少ない、下位の階調のサブフィールドでも、安定的な表示が得られた。
【実施例６】
【００７５】
次に、本発明の第六の実施の形態について図７のセル平面図を参照しながら説明する。本発明の第六の実施の形態も、電極間容量を低く抑えつつ、壁電荷は維持電極２３と対向するほぼ全面に形成できるような、本発明の第四および第五の実施の形態の別の実施形態である。
【００７６】
本発明の第六の実施の形態の駆動波形は本発明の第一の実施の形態と同じである。本発明の第六の実施の形態のセル構造は、電位固定電極３４の形状が、メッシュ状になっている以外は、本発明の第二の実施の形態と同じである。
【００７７】
このようにメッシュ状にすることにより、交差部分の面積を小さくし、電位固定電極３４とデータ電極２９間の容量および電位固定電極３４と維持電極２３間の容量を小さくしている。メッシュ状の線幅は１０〜４０μｍ程度とし、メッシュ状の穴の部分は４０〜５０μｍ角となるようにした。
【００７８】
このようなメッシュ形状の電極とすることにより、容量は減少するが、穴の部分が５０μｍ角以下であれば、書込み放電による放電の広がり状態は、電位固定電極３４の形状が、本発明の第二の実施の形態のように大きな電極面積を持ったものとほぼ同様の状態を得ることができた。このようなメッシュ電極構造にすることにより、線間容量を低く抑え、かつ、本発明の第五の実施の形態と同様のＶdsminや、維持放電の安定性を得ることができた。
【実施例７】
【００７９】
次に、本発明の第七の実施の形態について図８のセル平面図を参照しながら説明する。本発明の第七の実施の形態の駆動波形は、本発明の第一の実施の形態と同じである。
【００８０】
また、本発明の第七の実施の形態のセル構造は、電位固定電極３４以外は本発明の第二の実施の形態とおなじであり、データ電極２９を形成する際に、データ電極２９と同層に電位固定電極３４が形成されている。
【００８１】
したがって、電位固定電極３４の端子取り出しは、データ電極２９と同じ、図６紙面上下方向となる。このような構造にすることにより、電位固定電極３４とデータ電極２９を一度に形成することができ、プロセス数を増やすことなく電位固定電極３４を追加することができる。
【００８２】
データ電極２９の線幅を維持電極２３と対向する部分で５０μｍ程度に細くしてある。データ電極２９との間隔が３０μｍ程度できるように電位固定電極３４が形成されている。これにより、維持電極２３と対向する部分の面積では、データ電極２９よりも電位固定電極３４の方が大きくすることができる。これにより、データ電極２９の電位の変動による、対向放電空間にかかる電圧の変動を抑制することができる。これにより、本発明の第一の実施の形態とほぼ同等の最小維持電圧Ｖdsmin特性を得ることができた。
【実施例８】
【００８３】
次に、本発明の第八の実施の形態について図９のセル平面図を参照しながら説明する。本発明の第八の実施の形態の駆動波形は本発明の第一の実施の形態と同じである。
【００８４】
本発明の第八の実施の形態のセル構造は、電位固定電極３４形状及びデータ電極２９形状以外は、本発明の第七の実施の形態とおなじであり、本発明の第七の実施の形態と同様に、データ電極２９を形成する際に、データ電極２９と同層に電位固定電極３４が形成されている。走査電極２２および維持電極２３の線幅は、隔壁３３交差する部分を細くしてある。
【００８５】
これは、データ電極２９や電位固定電極３４との容量を小さくするためであり、これまでの本発明の第一から第五の実施の形態にも適用できる。セルの放電空間部分では、維持電極２３は電位固定電極としか対向しておらず、本発明の第七の実施の形態より、確実にデータ電極電位の影響を排除することができる。
【実施例９】
【００８６】
次に、本発明の第九の実施の形態について図１２の駆動波形を参照しながら説明する。本発明の第九の実施の形態の駆動波形は、上述の本発明の第一から第八の実施の形態のいずれの形状のセルにも適用できる。
【００８７】
本駆動波形は、走査期間３の維持電極２３の電位を維持パルス電圧のＶsと同じにすることにより、維持電極２３の電源電位数を減らす変わりに、電位固定電極３４の電位を負電位にしている。ここで、電位固定電極３４の電位Ｖfwは、維持電極２３と電位固定電極３４の電位差が対向放電開始電圧の１８５Ｖ以上になるように設定した。
【００８８】
具体的には、維持パルス電圧Ｖsを１６０Ｖに設定し、電位Ｖfwは−３０〜―６０Ｖとした。このようにすることにより、図１１の駆動波形と同じように、書込み時に維持電極２３と電位固定電極３４との間に、おおよそ（Ｖs−Ｖfw）の壁電圧を形成することができ、第一維持でこの２電極間で対向放電が発生するようにでき、図８と同様の最小維持電圧Ｖdsminを得ることができる。
【実施例１０】
【００８９】
次に、本発明の第十の実施の形態について図１３の駆動波形を参照しながら説明する。本発明の第十の実施の形態のセル構造は従来のセル構造と同じである。本発明の第十の実施の形態のセルの対向放電開始電圧は１８５Ｖである。本発明の第十の実施の形態の駆動波形の維持期間４の波形は従来の駆動波形と同じである。
【００９０】
走査期間３の維持電極２３の電圧Ｖswは、データパルス７が印加されても、維持電極２３とデータ電極２９との間にかかる電圧が対向放電開始電圧以上になるよう、Ｖswを高くしてある。このように維持電極２３の電位を高くすると、走査パルス６が印加されるタイミングでは、走査電極２２と維持電極２３の間にも高い電圧Ｖswが印加される。
【００９１】
本発明の第十の実施の形態では、走査パルス印加時にこのような高い電圧が印加されても、走査電極２２と維持電極２３の間で誤放電が発生しないように、予備放電期間２で走査電極２２と維持電極２３の間の放電ギャップ近傍の壁電荷を調整している。
【００９２】
本発明の第十の実施の形態の予備放電期間２の駆動波形は、図１６の従来の駆動波形と比較すると、走査期間３の直前の走査電極２２と維持電極２３の電位差がＶswと高い電位差になるように設計されている。予備放電期間２では、走査電極２２にＶp電圧が印加された時点で、走査電極２２上には大きな負の壁電圧が形成され、維持電極２３には正の壁電圧が形成されていると考えられる。
【００９３】
その後、走査電極２２と維持電極２３の電極電位の極性を反転させ、走査電極２２の電位を徐々に引き下げていくことにより、走査電極２２とデータ電極２９の間で弱い持続的な放電（弱放電と呼ぶ）が発生すると共に、走査電極２２と維持電極２３との間でも弱放電が発生する。
【００９４】
この走査電極２２と維持電極２３の間の弱放電により、面放電ギャップ近傍の走査電極２２の負壁電圧は減少し、維持電極２３側には負の壁電圧が形成されるようになる。このときのランプ波形の最終到達電位差であるＶswを大きくすることにより、より走査電極２２の負壁電圧は減少し、維持電極２３の負壁電圧は増大する。放電ギャップ近傍の維持電極２３の負壁電圧を走査電極２２の負壁電圧より大きくすることにより、走査電極２２と維持電極２３の面放電空間にかかる電圧はＶswよりも小さくすることができる。
【００９５】
本発明の第十の実施の形態例では、このようにして走査パルス印加時の誤放電を防止している。走査電極２２に印加されているランプ波形がＶp電圧から直接下がるような波形になっているのは、維持電極２３へのＶsw印加と同時に走査電極２２の電位を引き下げることによる、走査電極２２と維持電極２３の面の誤放電を防止するためである。
【００９６】
具体的な駆動波形の設定電圧は以下の通りである。維持パルス電圧は１６０Ｖ、データパルス電圧は６５Ｖとした。走査期間３の維持電極２３の電位Ｖswは、データパルス６が印加されても、維持電極２３とデータ電極２９の電位差が対向放電開始電圧以上になるように２５０Ｖ〜２７０Ｖとした。
【００９７】
これにより、６５Ｖのデータパルスが印加されても、維持電極２３とデータ電極２９の間には１８５Ｖ〜２０５Ｖの電圧が印加されることになる。
【００９８】
さらにデータパルスが印加されなければ、２５０Ｖ〜２７０Ｖの電圧が印加されることになる。したがって、いずれの場合も、対向放電開始電圧以上の壁電圧が、書込み放電によっておおよそ形成され、第一維持に対向放電が発生する。
【００９９】
維持電極２３側を陽極にした場合の対向放電開始電圧は３５０Ｖ程度であるので、これだけの電圧が印加されても、書込み放電が発生しなければ維持電極２３とデータ電極２９の間では放電は発生しない。この対向放電開始電圧以上にしている期間は、必ずしも走査期間３の全期間である必要はない。走査パルス印加前の電圧をＶsに下げてもまったく同様のＶdsmin特性が得られた。また、走査パルス印加終了直後から10μsec以上経ってから、維持電極２３の電位を電圧Ｖswから電圧Ｖsに引き下げても影響はない。
【０１００】
一方、走査パルス終了から２μsec以上経ってから、維持電極電位を電圧Ｖsから電圧Ｖswに引き上げても、Ｖdsminは１７０Ｖとなり、電圧Ｖswに引き上げた効果は得られない。また、たとえ走査パルス印加終了後、２μsec以内に維持電極電位をＶswに引き上げたとしても、Ｖsw電位を２μsec以上継続しなければ、その効果はきわめて弱いものとなり、Ｖdsminを引き下げることがほとんどできなかった。
【０１０１】
このような波形を用いることにより、電位固定電極３４がない従来のセル構造でも、本発明の第一の実施の形態と同様のＶdsmin特性を得ることができる。
【図面の簡単な説明】
【０１０２】
【図１】本発明の第１実施形態におけるプラズマディスプレイパネルの１セルの断面図である。
【図２】本発明の第１実施形態におけるプラズマディスプレイパネルの１セルの平面図である。
【図３】本発明の第２実施形態におけるプラズマディスプレイパネルの１セルの平面図である。
【図４】本発明の第３実施形態におけるプラズマディスプレイパネルの１セルの平面図である。
【図５】本発明の第４実施形態におけるプラズマディスプレイパネルの１セルの平面図である。
【図６】本発明の第５実施形態におけるプラズマディスプレイパネルの１セルの平面図である。
【図７】本発明の第６実施形態におけるプラズマディスプレイパネルの１セルの平面図である。
【図８】本発明の第７実施形態におけるプラズマディスプレイパネルの１セルの平面図である。
【図９】本発明の第８実施形態におけるプラズマディスプレイパネルの１セルの平面図である。
【図１０】本発明の第１実施形態におけるプラズマディスプレイパネルの駆動波形を示す図である。
【図１１】本発明の第１実施形態におけるプラズマディスプレイパネルの他の駆動波形を示す図である。
【図１２】本発明の第９実施形態におけるプラズマディスプレイパネルの駆動波形を示す図である。
【図１３】本発明の第１０実施形態におけるプラズマディスプレイパネルの駆動波形を示す図である。
【図１４】従来の３電極ＡＣ型プラズマディスプレイパネルの平面図である。
【図１５】従来の３電極ＡＣ型プラズマディスプレイパネルの１セルの断面図である。
【図１６】従来の３電極ＡＣ型プラズマディスプレイパネルの駆動波形示す図である。
【図１７】走査パルス終了後のデータ電極電位Ｖdaと最小維持電圧Ｖdsminの関係を示した図である。
【図１８】最小維持電圧ＶdsminのＶsw依存性を示す図である。
【符号の説明】
【０１０３】
１    前サブフィールド維持期間
２    予備放電期間
３    走査期間
４    維持期間
５    １サブフィールド
６    走査パルス
７    データパルス
８    書込み壁電荷形成パルス
９    維持ベース電圧
２０    上部絶縁性基板
２１    下部絶縁性基板
２２    走査電極
２３    維持電極
２４    透明誘電体層
２５    保護層
２６    放電空間セル
２７    蛍光体層
２８    白色誘電体層
２９    データ電極
３０    ディスプレイ表示画面
３１    １セル
３２    金属トレース電極
３３    隔壁
３４    電位固定電極
３５    放電ギャップ
３６    非放電ギャップ
【図１】
2006332070.tif 000003
【図２】
2006332070.tif 000004
【図３】
2006332070.tif 000005
【図４】
2006332070.tif 000006
【図５】
2006332070.tif 000007
【図６】
2006332070.tif 000008
【図７】
2006332070.tif 000009
【図８】
2006332070.tif 000010
【図９】
2006332070.tif 000011
【図１０】
2006332070.tif 000012
【図１１】
2006332070.tif 000013
【図１２】
2006332070.tif 000014
【図１３】
2006332070.tif 000015
【図１４】
2006332070.tif 000016
【図１５】
2006332070.tif 000017
【図１６】
2006332070.tif 000018
【図１７】
2006332070.tif 000019
【図１８】
2006332070.tif 000020